(57)【要約】【課題】音声を出しにくい環境において、使用者のみに音声を伝えることができるようにする。【解決手段】この携帯通信端末は、指向性出力機能、通常出力機能、および制御部１２０を備えている。指向性出力機構は、ユーザにのみ音声を伝達する機能である。通常出力機能は、可聴音の音声をそのまま出力する機能である。制御部１２０は、指向性出力機能と通常出力機能の一方を選択して機能させる。本実施形態において、スピーカ２２０は可聴音をそのまま出力する通常のスピーカとして機能し、かつ、パラメトリックスピーカとしても機能する。すなわちスピーカ２２０は、指向性出力機能と通常出力機能の双方を有している。【選択図】図１
2012156781.tif 000002
【特許請求の範囲】
【請求項１】
ユーザにのみ音声を伝達する指向性出力機能と、
可聴音の音声をそのまま出力する通常出力機能と、
前記指向性出力機能と前記通常出力機能の一方を選択して機能させる制御手段と、
を備える携帯通信端末。
【請求項２】
請求項１に記載の携帯通信端末において、
通信網と通信を行う通信手段を有する本体部と、
少なくとも前記指向性出力機能を有する子機部と、
を備え、
前記制御手段は、前記指向性出力機能を選択したとき、出力すべき音声データを前記本体部から前記子機部に送信させる携帯通信端末。
【請求項３】
請求項２に記載の携帯通信端末において、
前記指向性出力機能及び前記通常出力機能のいずれを選択するかを示す選択入力をユーザから受け付ける入力手段をさらに備え、
前記制御手段は、前記選択入力に従って前記指向性出力機能と前記通常出力機能の一方を選択して機能させる携帯通信端末。
【請求項４】
請求項３に記載の携帯通信端末において、
前記入力手段は、前記子機部に設けられている携帯通信端末。
【請求項５】
請求項３に記載の携帯通信端末において、
前記入力手段は、前記本体部に設けられている携帯通信端末。
【請求項６】
請求項１に記載の携帯通信端末において、
通信網と通信を行う通信手段、前記指向性出力機能、前記通常出力機能、及び制御手段を有する本体部と、
前記指向性出力機能及び前記通常出力機能のいずれを選択するかを示す選択入力をユーザから受け付ける入力手段を有する子機部と、
を備え、
前記子機部は、前記選択入力を前記本体部に送信し、
前記制御手段は、前記選択入力に従って前記指向性出力機能と前記通常出力機能の一方を選択して機能させる携帯通信端末。
【請求項７】
請求項１〜６のいずれか一項に記載の携帯通信端末において、
前記指向性出力機能はパラメトリックスピーカである携帯通信端末。
【請求項８】
請求項７に記載の携帯通信端末において、
スピーカとして機能する発振手段を備え、
前記制御手段は、
前記指向性出力機能が選択されたときには、音声信号をパラメトリックスピーカ用に変調した変調信号を前記発振手段に入力し、
前記通常出力機能が選択されたときには、音声信号を前記発振手段に入力する携帯通信端末。
【請求項９】
請求項１〜５のいずれか一項に記載の携帯通信端末において、
前記指向性出力機能は骨伝導スピーカ又は骨伝超音波スピーカである携帯通信端末。
【発明の詳細な説明】
【技術分野】
【０００１】
本発明は、携帯通信端末に関する。
【背景技術】
【０００２】
携帯通信端末の普及が進んでいる。これに伴い、携帯通信端末に様々な機能を設けることが検討されている。例えば特許文献１には、携帯通信端末の本体とは別体に骨伝導スピーカを設けることが記載されている。特許文献２には、徘徊者が所持する子機と、保護者が保持する親機とを無線で通信させることが記載されている。
【０００３】
一方、特許文献３には、音響装置の本体とは別体にパラメトリックスピーカを設けることが記載されている。
【先行技術文献】
【特許文献】
【０００４】
【特許文献１】特開２０００−３４９８７９号公報
【特許文献２】特開２００１−５２２８８号公報
【特許文献３】特開平０２−２５３７９９号公報
【発明の概要】
【発明が解決しようとする課題】
【０００５】
携帯通信端末の普及に伴い、会議等、音声を出しにくい環境に携帯通信端末を持ち込むことが増えている。一方、そのような環境においても、使用者のみに音声を伝えることができるようにすることが好ましい。
【０００６】
本発明の目的は、音声を出しにくい環境においても、使用者のみに音声を伝えることができる携帯通信端末を提供することにある。
【課題を解決するための手段】
【０００７】
本発明によれば、ユーザにのみ音声を伝達する指向性出力機能と、
可聴音の音声をそのまま出力する通常出力機能と、
前記指向性出力機能と前記通常出力機能の一方を選択して機能させる制御手段と、
を備える携帯通信端末が提供される。
【発明の効果】
【０００８】
本発明によれば、音声を出しにくい環境において、使用者のみに音声を伝えることができる。
【図面の簡単な説明】
【０００９】
【図１】第１の実施形態に係る携帯通信端末の機能構成を示すブロック図である。
【図２】図１に示した携帯通信端末の動作を示すフローチャートである。
【図３】第２の実施形態に係る携帯通信端末の機能構成を示すブロック図である。
【図４】図３に示した携帯通信端末の動作を示すフローチャートである。
【図５】第３の実施形態に係る携帯通信端末の機能構成を示すブロック図である。
【図６】第４の実施形態に係る携帯通信端末の機能構成を示すブロック図である。
【図７】第５の実施形態に係る携帯通信端末の機能構成を示すブロック図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
（第１の実施形態）
図１は、第１の実施形態に係る携帯通信端末の機能構成を示すブロック図である。この携帯通信端末は、指向性出力機能、通常出力機能、および制御部１２０を備えている。指向性出力機構は、ユーザにのみ音声を伝達する機能である。通常出力機能は、可聴音の音声をそのまま出力する機能である。制御部１２０は、指向性出力機能と通常出力機能の一方を選択して機能させる。本実施形態において、スピーカ２２０は可聴音をそのまま出力する通常のスピーカとして機能し、かつ、パラメトリックスピーカとしても機能する。すなわちスピーカ２２０は、指向性出力機能と通常出力機能の双方を有している。以下、詳細に説明する。
【００１２】
本実施形態において、携帯通信端末は、本体部１００及び子機部２００を備えている。子機部２００は、例えば腕時計、めがね、ネックレス、イヤリング、ベルト、又は帽子に組み込まれているか、又はこれらに似せた形状を有している。
【００１３】
本体部１００は、外部通信部１１０、制御部１２０、及び無線通信部１３０を備えており、子機部２００は、無線通信部２１０、スピーカ２２０、及び入力部２３０を備えている。
【００１４】
外部通信部１１０は、外部の通信網と通信を行う。例えば携帯通信端末が通話処理を行う場合、通話に関する音声データは、外部通信部１１０を介して送受信される。
【００１５】
制御部１２０は、外部通信部１１０を介して外部から受信する音声データを、スピーカ２２０で出力させるための形式に変換して音声信号を生成する。例えばスピーカ２２０に指向性出力機能を持たせる場合、制御部１２０は、音声信号を、パラメトリックスピーカ用の変調信号に変換する。またスピーカ２２０に通常出力機能を持たせる場合、制御部１２０は、音声信号を変調せずに子機部２００のスピーカ２２０に送信する。
【００１６】
無線通信部１３０は、子機部２００の無線通信部２１０との間で通信を行う。
【００１７】
スピーカ２２０は、無線通信部１３０及び無線通信部２１０を介して制御部１２０から受信した音声信号に基づいて、音声を出力する。スピーカ２２０は、圧電素子を有する発振部を備えており、この発振部に音声信号又はパラメトリックスピーカ用の変調信号が入力されることにより、音声を出力する。
【００１８】
入力部２３０は、指向性出力機能及び通常出力機能のいずれを選択するかを示す選択入力をユーザから受け付ける。選択入力は、無線通信部２１０及び無線通信部１３０を介して制御部１２０に送信される。そして制御部１２０は、受信した選択入力に従って、音声データを処理してスピーカ２２０に出力する。
【００１９】
図２は、図１に示した携帯通信端末の動作を示すフローチャートである。まずユーザは、子機部２００の入力部２３０に対して選択入力を行う(ステップＳ１０)。子機部２００の無線通信部２１０は、選択入力を本体部１００の無線通信部１３０を介して制御部１２０に送信する（ステップＳ２０）。
【００２０】
また制御部１２０は、音声出力用のデータを取得し、このデータを音声信号に変換する（ステップＳ３０）。ここで取得するデータは、外部通信部１１０を介して取得したデータ、例えば通話の音声データ（留守番電話機能により録音された音声を含む）であってもよいし、外部のサーバから取得したテキストデータであってもよい。また、本体部１００が予め記憶しているデータ、又は時刻情報であってもよい。ここで本体部１００が予め記憶しているデータには、音声データのみではなくテキストデータも含まれる。音声出力用のデータがテキストデータである場合、このテキストデータは、例えばキーワードを用いた検索により決定されてもよい。
【００２１】
ここでのテキストデータには、例えばプレゼンテーションで発表すべき内容を示すものであってもよいし、メールであってもよいし、他人の属性であってもよい。テキストデータが他人の属性である場合、本体部１００は、その人の声紋データとともに属性を記憶しておいてもよい。そして、本体部１００は、本体部１００に設けられたマイク、又は外部通信部１１０を介して受信した会話相手の声に基づいて声紋データを生成し、生成した声紋データに対応する属性を読み出してもよい。
【００２２】
そして選択入力が指向性出力機能を選択することを示していた場合（ステップＳ４０：Ｙｅｓ）、制御部１２０は、音声信号をパラメトリックスピーカ用の変調信号に変換し（ステップＳ５０）、変換後の音声信号を子機部２００のスピーカ２２０に送信する（ステップＳ６０）。また選択入力が通常出力機能を選択することを示していた場合（ステップＳ４０：Ｎｏ）、制御部１２０は、音声信号にパラメトリックスピーカ用の変調を加えずに、子機部２００のスピーカ２２０に送信する（ステップＳ６０）。子機部２００のスピーカ２２０は、受信した音声信号に従って音声の出力を行う（ステップＳ７０）。
【００２３】
次に、本実施形態の作用及び効果について説明する。本実施形態によれば、ユーザが指向性出力を選択した場合、音声は高い指向性で出力される。従って、音声を出しにくい環境において、使用者のみに音声を伝えることができる。特に携帯通信端末に電話がかかってきた場合、その電話で通知される内容は、高い緊急性を有している場合が多い。このような場合、本実施形態のように指向性出力機能を有していると、周りの人に迷惑をかけることなく通知される内容を確認することができる。
【００２４】
また、制御部１２０を本体部１００に実装しているため、子機部２００を小型化することができる。
【００２５】
また、キーワードを用いて検索されたテキストデータをスピーカ２２０から出力する場合、例えば会議中や懇談中に携帯通信端末のユーザに、他人に知られずに話題や会話相手の属性情報を提供することができる。
【００２６】
（第２の実施形態）
図３は、第２の実施形態に係る携帯通信端末の機能構成を示すブロック図である。本実施形態に係る携帯通信端末は、以下の点を除いて第１の実施形態と同様である。
【００２７】
まず、子機部２００はスピーカ２２０の代わりに指向性スピーカ２２２を有している。指向性スピーカ２２２は、通常のスピーカとして機能することはできない。指向性スピーカ２２２は、例えば骨伝導スピーカ又は骨伝超音波スピーカである。
【００２８】
また本体部１００はスピーカ１４０を備えている。スピーカ１４０は、通常出力機能を有している。
【００２９】
図４は、図３に示した携帯通信端末の動作を示すフローチャートである。本図に示す処理のうち、ステップＳ１０〜ステップＳ３０に示す処理は第１の実施形態と同様であるため、説明を省略する。
【００３０】
選択入力が指向性出力機能を選択することを示していた場合（ステップＳ４０：Ｙｅｓ）、制御部１２０は、音声信号を子機部２００の指向性スピーカ２２２に送信する（ステップＳ６０）。指向性スピーカ２２２は、受信した音声信号に従って音声の出力を行う（ステップＳ７０）。
【００３１】
また選択入力が通常出力機能を選択することを示していた場合（ステップＳ４０：Ｎｏ）、制御部１２０は、音声信号をスピーカ１４０に出力する。スピーカ１４０は、制御部１２０が出力した音声信号に従って音声の出力を行う（ステップＳ８０）。
【００３２】
本実施形態によっても、第１の実施形態と同様の効果を得ることができる。なお本実施形態において、指向性スピーカ２２２はパラメトリックスピーカであってもよい。この場合、図４のステップＳ４０とステップＳ６０の間には、図３におけるステップＳ５０と同様の処理が行われる。
【００３３】
（第３の実施形態）
図５は、第３の実施形態に係る携帯通信端末の機能構成を示すブロック図である。本実施形態に係る携帯通信端末は、子機部２００が入力部２３０を備えておらず、その代わりに本体部１００が入力部１５０を備えている点を除いて、第１の実施形態に係る携帯通信端末と同様の構成である。入力部１５０の機能は、入力部２３０の機能と同様である。
本実施形態によっても、第１の実施形態と同様の効果を得ることができる。
【００３４】
（第４の実施形態）
図６は、第４の実施形態に係る携帯通信端末の機能構成を示すブロック図である。本実施形態に係る携帯通信端末は、以下の点を除いて、第１の実施形態に係る携帯通信端末と同様の構成である。
【００３５】
まず、子機部２００の代わりに第２の子機部３００を有している。第２の子機部３００は、無線通信部３１０及び入力部３２０を有している。無線通信部３１０の機能は子機部２００の無線通信部２１０と同様であり、入力部３２０の機能は子機部２００の入力部２３０と同様である。
【００３６】
また、本体部１００はスピーカ１４２を有している。スピーカ１４２の機能は、第１の実施形態におけるスピーカ２２０と同様である。
【００３７】
すなわち第２の子機部３００は、本体部１００のリモートコントローラとして機能する。
本実施形態によっても、第１の実施形態と同様の効果を得ることができる。
【００３８】
（第５の実施形態）
図７は、第５の実施形態に係る携帯通信端末の機能構成を示すブロック図である。本実施形態に係る携帯通信端末は、以下の点を除いて第１の実施形態に係る形態通信端末と同様の構成である。
【００３９】
まず、子機部２００は入力部２３０を有していない。その代わり、携帯通信端末は第２の子機部３００を有している。第２の子機部３００の機能構成は、第４の実施形態と同様である。
【００４０】
本実施形態によっても、第１の実施形態と同様の効果を得ることができる。また、子機部２００に入力部２３０を設ける必要がないため、子機部２００を小型化することができる。
【００４１】
以上、図面を参照して本発明の実施形態について述べたが、これらは本発明の例示であり、上記以外の様々な構成を採用することもできる。例えば、上記した各実施形態では、制御部１２０は、ユーザが行った選択入力に従って、指向性を持たせた出力を行うか否かを定めていたが、音声データの種類に基づいて指向性を持たせた出力を行うか否かを定めてもよい。例えば制御部１２０は、音声データが音楽データやＰｏＣ（Push-to-Talk Over Cellular） であった場合、指向性を持たせた出力を行う。また、制御部１２０は、音声データがメールを読み上げるものである場合、メールの発信者によって、指向性を持たせた出力を行うか否かを定めてもよい。
【符号の説明】
【００４２】
１００ 本体部
１１０ 外部通信部
１２０ 制御部
１３０ 無線通信部
１４０ スピーカ
１４２ スピーカ
１５０ 入力部
２００ 子機部
２１０ 無線通信部
２２０ スピーカ
２２２ 指向性スピーカ
２３０ 入力部
３００ 子機部
３１０ 無線通信部
３２０ 入力部
【図１】
2012156781.tif 000003
【図２】
2012156781.tif 000004
【図３】
2012156781.tif 000005
【図４】
2012156781.tif 000006
【図５】
2012156781.tif 000007
【図６】
2012156781.tif 000008
【図７】
2012156781.tif 000009